(57)【特許請求の範囲】
【請求項１】
配線、配管材を敷設するための受け具であって、
配線、配管材を載せる載置部及びこれの両端を折曲げた立上がり部からなり、丸棒で形成され、間隔を在して並べられた複数個の支持部材と、
この支持部材の各立上がり部の上端部にのみ二本取着されて、複数個の支持部材を連結する連結部材とを備え、
前記支持部材の立上がり部の外側の間隔寸法は、前記連結部材よりも下方の位置において前記連結部材の内側の寸法よりも小に設定され、一の受け具の前記支持部材が、他の受け具の支持部材に対して長手方向にずらした状態で、他の受け具の連結部材間に挿入可能に形成されており、
各立上がり部に設けられた前記二本の連結部材は、互いに上下に設けられ、一の受け具が他の受け具内に挿入されて積み重ねられた状態において、前記一の受け具の下側の連結部材が、他の受け具の上側の連結部材に当接するとともに、一の受け具の載置部が、他の受け具の下側の連結部材を下方へ超えた位置まで挿入可能とするよう、前記支持部材の立上がり部の上端部に配置されていることを特徴とする配線、配管材の受け具。
【請求項２】
前記載置部の下面には、前記支持部材の間隔を保持する保持棒が連結されていることを特徴とする請求項１に記載の配線、配管材の受け具。
【発明の詳細な説明】
【技術分野】
【０００１】
本発明は、高所等に取付けられ配線、配管材を支える配線、配管材の受け具に関する。
【背景技術】
【０００２】
従来より、はしご状または樋状の受け具が知られている。この第１の従来例の受け具１は、図２５に示すように、横桁２の両端から縦桁３，３を立ち上がらせて構成されている。そして、縦桁３，３を施設場所に取付け横桁２に配線、配管材を載置している。また、受け具１を運搬するときは、２枚の受け具１を向い合わせにして、互いに縦桁３の先端を横桁２に当接させて重ねている。
然しながら、上述の受け具１は、向い合わせ部分に無駄なスペース４が形成されるので、運送時の容積が大きくなるという問題がある。
【０００３】
そこで、運送時の容積を減少させるため、図２６に示す第２の従来例が開発された。この受け具５は、配線、配管材を載置する載置部６の両端から傾斜した側壁７を立設したものである。
【０００４】
この受け具５は、下段の受け具５の内側面に上段の受け具５の外側面を合わせるように積み重ねている。この受け具５は、積み重ねたとき上段の受け具５が下段の受け具５の内部に浸入するので、第１の従来例に比べて運送時の容積を小さくすることができる。
【発明の開示】
【発明が解決しようとする課題】
【０００５】
上述した第１の従来例においては、受け具１を運送する時の容積が大きくなるという問題がある。
【０００６】
また、第２の従来例においては、上下の受け具５を積み重ねるので、第１の従来例に比べて運送時の容積を小さくすることができる。しかしながら、この第２の従来例においても、側壁７の厚さのために上下の載置部６間に余分なスペース８が形成され、運搬時の容積を減少させるという目的が十分に達成されていないという問題がある。
【０００７】
さらに、上段の受け具５が下段の受け具５の傾斜した側壁７内に浸入するので、上下段の受け具５の側壁７同士の結合力が大きくなり、上の受け具５が取外しにくいという新たな問題が発生した。
【０００８】
本発明は、上記の事情に鑑みてなされたもので、その目的は、受け具を積み重ねたときの容積を減少させることができ、しかも、重ねた受け具が容易に取外すことができる配線、配管材の受け具を提供するにある。
【課題を解決するための手段】
【０００９】
請求項１の発明は、配線、配管材を敷設するための受け具であって、
配線、配管材を載せる載置部及びこれの両端を折曲げた立上がり部からなり、丸棒で形成され、間隔を在して並べられた複数個の支持部材と、
この支持部材の各立上がり部の上端部にのみ二本取着されて、複数個の支持部材を連結する連結部材とを備え、
前記支持部材の立上がり部の外側の間隔寸法は、前記連結部材よりも下方の位置において前記連結部材の内側の寸法よりも小に設定され、一の受け具の前記支持部材が、他の受け具の支持部材に対して長手方向にずらした状態で、他の受け具の連結部材間に挿入可能に形成されており、
各立上がり部に設けられた前記二本の連結部材は、互いに上下に設けられ、一の受け具が他の受け具内に挿入されて積み重ねられた状態において、前記一の受け具の下側の連結部材が、他の受け具の上側の連結部材に当接するとともに、一の受け具の載置部が、他の受け具の下側の連結部材を下方へ超えた位置まで挿入可能とするよう、前記支持部材の立上がり部の上端部に配置されていることを特徴とするものである。
【００１０】
請求項２の発明は、請求項１に記載の発明において、載置部の下面には、前記支持部材同士の間隔を保持する保持棒が連結されていることを特徴とするものである。
【発明の効果】
【００１１】
本発明は、配線、配管材を敷設するための受け具であって、配線、配管材を載せる載置部及びこれの両端を折曲げた立上がり部からなり、間隔を存して並べられた複数個の支持部材と、この支持部材の各立上がり部の上端部にのみ二本取着され、複数個の支持部材を連結する連結部材とを備え、
一の受け具の支持部材を、他の受け具の支持部材に対して長手方向にずらした状態で、他の受け具の連結部材間に挿入可能に形成した。したがって、一の受け具の支持部材を他の受け具の支持部材に対して長手方向にずらして配置すれば、一の受け具の支持部材が他の受け具の支持部材に対して平行に配置され、そこで、一の受け具を降ろせば、一の受け具の支持部材の立上がり部が他の受け具の連結部材間に挿入され、両者の支持部材が平行に配置される。そして、受け具の支持部材が長手方向にずれた状態で並び、連結部材が上下に位置して受け具が互いに接した状態で積み重ねられる。その結果、無駄なスペースが発生せず、積み重ねたときの容積を減少でき、運搬及び保管時の容積を減少できる。また、受け具相互間の食い込みがなく、重ねた受け具を容易に取外すことができるという優れた効果を奏する。
【発明を実施するための最良の形態】
【００１２】
以下、請求項１の発明に係わる第１の実施例につき図１乃至図３を参照して説明する。図１は、受け具１１の側面図を示す。図２は、３個の受け具１１を積み重ねた状態を示す。図３は、３段に積み重ねた状態の受け具１１の一部を斜め方向から観た状態を示す。
【００１３】
受け具１１は、所定の間隔で平行に並べられた複数個の支持部材１２と、これら複数個の支持部材１２を連結した連結部材１３とから構成されている。
【００１４】
図１乃至図３に示すように、支持部材１２は丸棒から形成され、配線、配管材を載せる載置部１４と、載置部１４の両端を折曲げて形成された立上がり部１５とから構成されている。
【００１５】
図１乃至図３に示すように、連結部材１３は、丸棒で形成されている。連結部材１３は、支持部材１２の各立上がり部１５の上端部の外側面に二本取着されている。各立上がり部１５の外側面に取着されている二本の連結部材１３同士は、互いに上下に離間して設けられている。
【００１６】
ここで、図２に示すように、一の受け具１１が他の受け具１１内に上方から挿入されて積み重ねられた状態において、一の受け具１１の下側の連結部材１３が、他の受け具１１の上側の連結部材１３に当接するとともに、一の受け具１１の載置部１４が、他の受け具１１の下側の連結部材１３を下方へ超えた位置まで挿入可能となるよう、連結部材１３は、各立上がり部１５の上端部にのみ配置されている。
【００１７】
図１に示すように、支持部材１２の立上がり部１５，１５同士の外側の間隔Ａ寸法は、連結部材１３よりも下方の位置においては連結部材１３，１３間の内側の間隔Ｂ寸法よりも小に設定されている。
【００１８】
受け具１１を積み重ねる場合はつぎの手順による。
先ず、下段の受け具１１を床面に置く。次に、積み重ねる受け具１１を下段の受け具１１の上方に保持し、下段の受け具１１に対して長手方向に若干（立上がり部１５の幅寸法）ずらす。そして、上段の受け具１１を降下して、図２に示すように、上段の受け具１１を下段の受け具１１の連結部材１３，１３間に挿入する。
【００１９】
図１に示すように、支持部材１２の立上がり部１５，１５間の間隔Ａ寸法は、連結部材１３，１３間の間隔Ｂ寸法よりも小に設定されているので、上段の受け具１１は、下段の受具１１の連結部材１３，１３間を通過することができて、上段、下段の受け具１１は長手方向に位置をずらした状態で重ねられる。
【００２０】
図２に示すように、この時、上段の受け具１１の下側の連結部材１３が、下段の受け具１１の上側の連結部材１３に上側から当接するとともに、上段の受け具１１の載置部１４が、下段の受け具１１の下側の連結部材１３を下方へ超えた位置まで深く挿入する。尚、図３は、３個の受け具１１が、三段に積み重ねられた状態を示す。
【００２１】
次に、図３に示すように、積み重ねた受け具１１を長手方向（図３中、矢示方向）に移動して支持部材１２同士の間の間隔をつめて両者の側面を接触させれば、複数個の受け具１１が積み重ねられた状態で複数個の受け具１１全体の長さを短くできる。
【００２２】
図４は、請求項２の発明に係わる第２の実施例を示す。第２の実施例の特徴は、受け具１１の載置部１４の下面に保持棒１６が連結されている点にある。この第２の実施例においては、保持棒１６が、支持部材１２同士の間隔を保持することができる。
【００２３】
図５及び図６は、本発明の第１の参考例を示す。前記第１の実施例と比較して、この第１の参考例の特徴は、受け具１１の各立ち上がり部１５の上端部に設けられている連結部材１３の数を１本にした点にある。
【００２４】
図６は、３個の受け具１１を３段に積み重ねた状態を示す。図６に示すように、この第１の参考例にあっては、上段の受け具１１が下段の受け具１１に積み重ねられた状態において、上段の受け具１１の連結部材１３が、下段の受け具１１の連結部材１３に当接した状態で、上段の受け具１１が下段の受け具１１に積み重ねられる。
【００２５】
図７及び図８は、本発明の第２の参考例の受け具１８を示すもので、前記第１の参考例と比較して、この第２の参考例の特徴は、載置部１４の下面に、複数の支持部材１２の間隔を保持する２本の保持棒１６が連結されており、連結部材１７が前記連結部材１３よりも大径の線材で形成されている点にある。即ち、図８に示すように、連結部材１７の直径をｄ1、支持部材１２ 即ち載置部１４の直径をｄ２、保持棒１６の直径をｄ３としたとき、（ｄ1≧ｄ２＋ｄ３）の関係がある。
【００２６】
図８は、３個の受け具１８を三段に積み重ねた状態を示す。この第２の参考例において、受け具１８を積み重ねる場合には、上段の受具１８は前述と同様に、下段の受け具１８に対して長手方向に位置をずらして降下し、図８に示すように、上段の受け具１１と下段の受け具１１の連結部材１７同士が当接して停止する。そして、上段の受け具１８の保持棒１６は、下段の受け具１８の載置部１４の上部に位置し、両者間には若干の隙間が形成される。
【００２７】
図９及び図１０は、本発明の第３の参考例の受け具１９を示すもので、第１の参考例との相違は、載置部１４の下面に、複数の支持部材１２の間隔を保持する２本の保持棒１６を連結したものである。この受け具１９においては、図１０に示すように、連結部材１３の直径ｄ４、支持部材１２即ち載置 部１４の直径ｄ２及び保持棒１６の直径ｄ３間には、（ｄ４≦ｄ２＋ｄ３）の関係が ある。
【００２８】
図１０は、３個の受け具１９が積み重ねられた状態を示す。図１０に示すように、この受け具１９を上下に重ねると、上段の受け具１９の保持棒１６が下段の受け具１９の載置部１４の上に載置され、両者の連結部材１３間には若干の隙間が形成されている。
【００２９】
図１１及び図１２は、本発明の第４の参考例の受け具２０を示すもので、第３の参考例との相違は、立上がり部１５の上端部に外側に向けたフランジ部１５ａを形成し、このフランジ部１５ａの下面に連結部材１３を連結したものである。
【００３０】
図１２は、３個の受け具２０を積み重ねた状態を示す。この第４の参考例においても、上段の受け具２０の支持部材１２を下段の受け具２０の連結部材１３間に挿入することができ、上下段の受け具２０は、連結部材１３とフランジ部１５ａが当接し、保持棒１６が載置部１４の上に載置された状態で積み重ねることができる。
【００３１】
図１３及び図１４は、本発明の第５の参考例の受け具４１を示すもので、第４の参考例との相違は、立上がり部１５の上端部のフランジ部１５ａの上面に連結部材１３を連結したものである。
【００３２】
図１４は、３個の受け具４１を３段に積み重ねた状態を示す。この第５の参考例においても、上段の受け具４１の支持部材１２を下段の受け具２０の連結部材１３間に挿入することができ、上下段の受け具４１は、連結部材１３がフランジ部１５ａに接触した状態で積み重ねられ、下端部には若干の隙間が形成される。
【００３３】
図１５及び図１６は、本発明の第６の参考例の受け具４２を示すもので、第５の参考例との相違は、立上がり部１５の上端部に段部１５ｂを形成し、段部１５ｂの内側に連結部材１３を連結したものである。
【００３４】
図１６は、３個の受け具４２を３段に積み重ねた状態を示す。この第６の参考例においても、上段の受け具４２の支持部材１２を下段の受け具４２の連結部材１３間に挿入することができ、上下段の受け具４２は、連結部材１３が段部１５ｂに接触した状態で積み重ねられ、下端部には若干の隙間が形成される。
【００３５】
図１７及び図１８は、本発明の第７の参考例の受け具４４を示すもので、この第７の参考例の特徴は、支持部材１２の立上がり部１５に側方に突出する突出部１５ｃが設けられたものである。
【００３６】
図１８は、３個の受け具４４を３段に積み重ねた状態を示す。この第７の参考例においても、上段の受け具４４の支持部材１２を下段の受け具４３の連結部材１３間に挿入することができ、上段の受け具４３の突出部１５ｃが、下段の受け具４４の連結部材１３に接触した状態で積み重ねられ、下端部には隙間が形成される。
【００３７】
上記第１の実施例、第２の実施例、並びに、第１の参考例乃至第７の参考例によれば、つぎの効果を奏する。上段の受け具１１，１８，１９，２０，４１，４２，４４を、下段の受け具１１，１８，１９，２０，４１，４２，４４に対して長手方向に若干ずらすことにより、上下の受け具１１，１８，１９，２０，４１，４２，４４の支持部材１２を連結部材１３，１７に挿入することができ、これにより支持部材１２が互いに側面を接する状態に積み重ねられるので、従来のように製品の厚みが干渉しあって形成された無駄なスペースが発生せず、積み重ねた容積を著しく減少できる。
【００３８】
又、受け具１１，１８，１９，２０，４１，４２，４４を積み重ねた状態において、上下の受け具１１，１８，１９，２０，４１，４２，４４間には若干の隙間が形成されるので、上下の受け具間には第２の従来例にみられるような結合力が発生せず、上段の受け具１１，１８，１９，２０，４１，４２，４４の取外しが容易にできる。
【００３９】
更に、受け具１１，１８，１９，２０，４１，４２，４４においては、連結部材１３、１７または下端部が接した状態で積み重ねることができるので、積み重ねた容積を一層減少させることができる。
【００４０】
図１９乃至図２１は、第８の参考例の受け具４５を示すもので、この第８の参考例の特徴は、２個の連結部材１３が、支持部材２２の立上がり部２３の中間部に取付けられている点である。この受け具２１においては、図２１に示すように、連結部材１３より上方の立上がり部２３ａ，２３ａの間隔Ｃ寸法及び連結部材１３より下方の立上がり部２３ｂ，２３ｂの間隔Ａ寸法は、何れも連結部材１３，１３間の間隔Ｂ寸法よりも小に設定されている。
【００４１】
図２１は、３個の受け具４５を３段に積み重ねた状態を示す。図２１に示すように、この受け具４５を積み重ねると、上下の受け具４５が接するように積み重ねることができる。
【００４２】
ところで、この受け具４５が配設される場所は、建物の梁が突出していたり、形状が複雑な場合が多いのであるが、この受け具４５は、中間部に連結部材１３を取着し、連結部材１３より上方の立上がり部２３ａは自由端部を有し、その加工が可能である。
【００４３】
従って、この第８の参考例においては、立上がり部２３ａの上端部の形状を切断したり曲げたりして適宜成形することにより、施設場所の形状に合わせて加工して設置することができるという優れた効果を奏する。
【００４４】
図２２乃至図２４は、第９の参考例の受け具４６を示すもので、この第９の参考例の特徴は、２個の連結部材１３が、支持部材３２の立上がり部３３の下端部に取付けられている点である。この受け具４６においては、図２４に示すように、連結部材１３より上方の立上がり部３３の間隔Ｃ寸法が連結部材１３，１３間の間隔Ｂ寸法よりも小に設定されている。
【００４５】
図２４は、３個の受け具４６を積み重ねた状態を示す。この受け具４６を積み重ねると、図２５に示すように、上下の受け具４６が接するように積み重ねることができる。この第９の参考例においても、第８の参考例と同様の効果を奏するものである。
【図面の簡単な説明】
【００４６】
【図１】受け具の側面図である。（第１の実施例）
【図２】受け具を３段に積み重ねた状態の側面図である。（第１の実施例）
【図３】受け具を３段に積み重ねた状態の一部を示す斜視図である。（第１の実施例）
【図４】受け具の側面図である。（第２の実施例）
【図５】受け具の第１の参考例の斜視図である。（第１の参考例）
【図６】受け具を積み重ねた状態を示す側面図である。（第１の参考例）
【図７】受け具の第２の参考例の斜視図である。（第２の参考例）
【図８】受け具を積み重ねた状態を示す側面図である。（第２の参考例）
【図９】受け具の第３の参考例の斜視図である。（第３の参考例）
【図１０】受け具を積み重ねた状態を示す側面図である。（第３の参考例）
【図１１】受け具の第４の参考例の斜視図である。（第４の参考例）
【図１２】受け具を積み重ねた状態を示す側面図である。（第４の参考例）
【図１３】受け具の第５の参考例の側面図である。（第５の参考例）
【図１４】受け具を積み重ねた状態を示す側面図である。（第５の参考例）
【図１５】受け具の第６の参考例の側面図である。（第６の参考例）
【図１６】受け具を積み重ねた状態を示す側面図である。（第６の参考例）
【図１７】受け具の第７の参考例の側面図である。（第７の参考例）
【図１８】受け具を積み重ねた状態を示す側面図である。（第７の参考例）
【図１９】受け具の第８の参考例の斜視図である。（第８の参考例）
【図２０】受け具の側面図である。（第８の参考例）
【図２１】受け具を積み重ねた状態の一部を示す斜視図である。（第８の参考例）
【図２２】受け具の第９の参考例の斜視図である。（第９の参考例）
【図２３】受け具の側面図である。（第９の参考例）
【図２４】受け具を積み重ねた状態の一部を示す斜視図である。（第９の参考例）
【図２５】第１の従来例を積み重ねた状態の側面図である。（第１の従来例）
【図２６】第２の従来例を積み重ねた状態の側面図である。（第１の従来例）
【符号の説明】
【００４７】
１１  受け具
１２  支持部材
１３  連結部材
１４  載置部
１５  立上がり部
１８  受け具
１９  受け具
２０  受け具
２２  支持部材
２３ａ  立上がり部
２３ｂ  立上がり部
３１  受け具
３２  支持部材
３３  立上がり部
４１  受け具
４２  受け具
４４  受け具
４５  受け具
４６  受け具
【図１】
0003985251.tif 000002
【図２】
0003985251.tif 000003
【図３】
0003985251.tif 000004
【図４】
0003985251.tif 000005
【図５】
0003985251.tif 000006
【図６】
0003985251.tif 000007
【図７】
0003985251.tif 000008
【図８】
0003985251.tif 000009
【図９】
0003985251.tif 000010
【図１０】
0003985251.tif 000011
【図１１】
0003985251.tif 000012
【図１２】
0003985251.tif 000013
【図１３】
0003985251.tif 000014
【図１４】
0003985251.tif 000015
【図１５】
0003985251.tif 000016
【図１６】
0003985251.tif 000017
【図１７】
0003985251.tif 000018
【図１８】
0003985251.tif 000019
【図１９】
0003985251.tif 000020
【図２０】
0003985251.tif 000021
【図２１】
0003985251.tif 000022
【図２２】
0003985251.tif 000023
【図２３】
0003985251.tif 000024
【図２４】
0003985251.tif 000025
【図２５】
0003985251.tif 000026
【図２６】
0003985251.tif 000027